(57)【要約】【課題】防火性能などの防災性能や防音性能を発揮するために構造物の開口部を閉鎖可能な防災扉、および防災扉を閉鎖するための防災扉閉鎖装置において、利用者がハンドルレバーなどを操作しなくても防災扉を高気密で閉鎖すること。【解決手段】扉本体２０が閉鎖方向へ回動する際には、ロッド４０が、トリガー装置６０によって保持状態が解除されるとともに、グレモン錠７０によって上方への移動を許容される。すると、ロッド４０の先端部４０ａが圧縮コイルバネ４２の付勢力によって受け具５０の内部へテーパ面４０ｃおよび当接面４０ｅに案内されながら挿入される。この際、蝶番１５，１５を中心にして回動させた扉本体２０がシール材１６を圧接しながら開口部１０を閉鎖し、防災扉１に求められる防火性能などの防災性能や防音性能が実現する。【選択図】図３
2008303689.tif 000002
【特許請求の範囲】
【請求項１】
構造物の開口部を開閉可能に支持された扉本体と、
前記扉本体が前記開口部を閉鎖方向へ回動する際に前記開口部における前記扉本体と対向する部分に取り付けられた弾性を有するシール材と、
テーパ面が形成された先端部を有し、前記先端部が前記扉本体から突出可能な棒状のロッドと、
前記扉本体によって閉鎖された前記開口部における前記ロッドの先端部と対向する部分に形成され、前記ロッドの先端部が挿入可能な受け具と、
前記ロッドの先端部が前記扉本体から突出するのを付勢する付勢手段と、
前記扉本体に回転可能に取り付けられたハンドルレバーと、
前記付勢手段の付勢力による前記ロッドの移動を許容するとともに、前記ハンドルレバーの回転を伝達することによって前記ロッドを前記付勢手段の付勢力に抗して移動させることが可能な伝達機構と、
前記扉本体が前記開口部を開放する際に前記ロッドをその先端部が前記受け具から離間する位置で保持可能な保持手段と、
前記扉本体が前記閉鎖方向へ回動する際に、前記保持手段による保持状態を解除させることで、前記受け具から離間する位置にある前記ロッドの先端部が前記受け具の内部へと移動可能とする解除手段と、
を備え、前記扉本体が前記閉鎖方向へ回動する際に、前記解除手段によって前記保持手段による保持状態が解除されるとともに前記伝達機構によって前記付勢手段の付勢力による移動を許容された前記ロッドの先端部が前記付勢手段の付勢力によって前記受け具の内部へ前記テーパ面に案内されながら挿入されることにより、前記扉本体が前記シール材を圧接しながら前記開口部を閉鎖することを特徴とする防災扉。
【請求項２】
請求項１に記載の防災扉において、
前記伝達機構は、
その一部が前記ロッドの後端部に取り付けられ、前記ロッドの移動可能な方向と同一の方向に移動可能な伝達部材と、
前記ハンドルレバーの回転に伴って前記ロッドおよび前記伝達部材の移動可能な方向と同一の方向に移動可能なスライダー部材と、を備え、
前記スライダー部材は、
前記ロッドの先端部が前記扉本体の側面から突出する際に移動する方向である突出方向に移動する場合に前記伝達部材と当接する第一の当接部と、
前記ロッドの先端部が前記突出方向とは反対方向であって前記扉本体へ挿入される際に移動する方向である隠蔽方向に移動する場合に前記伝達部材と当接する第二の当接部と、を備え、
一方、前記伝達部材は、
前記突出方向に移動する前記スライダー部材の前記第一の当接部と当接する第一の被当接部と、
前記隠蔽方向に移動する前記スライダー部材の前記第二の当接部と当接する第二の被当接部と、を備え、
さらに、前記スライダー部材および前記伝達部材は、前記第一の当接部と前記第一の被当接部とが当接する場合に前記第二の当接部と前記第二の被当接部とが当接せず、前記第二の当接部と前記第二の被当接部とが当接する場合に前記第一の当接部と前記第一の被当接部とが当接しないよう構成されていること
を特徴とする防災扉。
【請求項３】
請求項１または請求項２に記載の防災扉において、
前記保持手段は、
前記ロッド先端部に形成された被係止部と、
前記被係止部に係合可能な係止部と、を備え、
前記解除手段は、前記扉本体が前記閉鎖方向へ回動する際に、前記係止部を前記被係止部から離間させることで前記保持手段による保持状態を解除すること
を特徴とする防災扉。
【請求項４】
請求項１〜請求項３の何れかに記載の防災扉が備えるロッド、受け具、付勢手段、ハンドルレバー、伝達機構、保持手段および解除手段を備え、前記扉本体が前記閉鎖方向へ回動する際に、前記解除手段によって前記保持手段による保持状態が解除されるとともに前記伝達機構によって前記付勢手段の付勢力による前記ロッドの移動を許容された前記ロッドの先端部が前記付勢手段の付勢力によって前記受け具の内部へ前記テーパ面に案内されながら挿入されることにより、前記扉本体が前記シール材を圧接しながら前記開口部を閉鎖することを特徴とする防災扉閉鎖装置。
【発明の詳細な説明】
【技術分野】
【０００１】
本発明は、防火性能などの防災性能や防音性能を発揮するために構造物の開口部を閉鎖可能な防災扉、および防災扉を閉鎖するための防災扉閉鎖装置に関し、特に、利用者がハンドルレバーなどを操作しなくても高気密で閉鎖可能な防災扉および防災扉閉鎖装置に関する。
【背景技術】
【０００２】
従来より、建物の開口にドア枠を取付け、そのドア枠の内側の出入口をドアによって開閉するドアの開閉装置が知られている。
このようなドアの開閉装置においては、例えばビルの機械室などのドアのように防音性能および防火性能が要求されるドアには、ドアの閉鎖時に気密状態が必要となり、この気密状態を形成すべく、ドアの開閉装置においてグレモン錠を取付けるようにしている（例えば、特許文献１参照。）。
【０００３】
このグレモン錠は、ハンドルレバーを有し、そのハンドルレバーを手動で操作することによる揺動によって上下一対のロッドを軸方向に移動させ、各ロッドの先端部に設けたテーパ部が例えばドア枠の上枠および下枠に取付けたロッド受け具内のローラと接触するカム作用により、ドアをドア枠の内周に設けた戸当り枠側に移動させ、その戸当り枠の表面に設けたシール部材にドアを圧接させるようにしている。このことにより、必要な防音性能および防火性能を発揮させている。
【特許文献１】特開平９−４１７６３号公報
【発明の開示】
【発明が解決しようとする課題】
【０００４】
しかし、上述のようなドアの開閉装置においては、ドアを閉鎖する際には、弾性を有するシール部材を押しつぶしながら上述のロッドの先端部をドア枠のロッド受け具内に納めることでドアを閉鎖させるため、ロッドの先端部がドア枠のロッド受け具内に納まるまでの間、グレモン錠のハンドルレバーを利用者が操作する必要があった。
【０００５】
本発明は、このような不具合に鑑みなされたものであり、その目的とするところは、利用者がハンドルレバーなどを操作しなくても高気密で閉鎖可能な防災扉および防災扉閉鎖装置を提供することにある。
【課題を解決するための手段】
【０００６】
上記課題を解決するためになされた請求項１に係る防災扉は、構造物の開口部を開閉可能に支持された扉本体と、前記扉本体が前記開口部を閉鎖方向へ回動する際に前記開口部における前記扉本体と対向する部分に取り付けられた弾性を有するシール材と、テーパ面が形成された先端部を有し、前記先端部が前記扉本体から突出可能な棒状のロッドと、前記扉本体によって閉鎖された前記開口部における前記ロッドの先端部と対向する部分に形成され、前記ロッドの先端部が挿入可能な受け具と、前記ロッドの先端部が前記扉本体から突出するのを付勢する付勢手段と、前記扉本体に回転可能に取り付けられたハンドルレバーと、前記付勢手段の付勢力による前記ロッドの移動を許容するとともに、前記ハンドルレバーの回転を伝達することによって前記ロッドを前記付勢手段の付勢力に抗して移動させることが可能な伝達機構と、前記扉本体が前記開口部を開放する際に前記ロッドをその先端部が前記受け具から離間する位置で保持可能な保持手段と、前記扉本体が前記閉鎖方向へ回動する際に、前記保持手段による保持状態を解除させることで、前記受け具から離間する位置にある前記ロッドの先端部が前記受け具の内部へと移動可能とする解除手段と、を備えることを特徴とする。
【０００７】
このように構成された本発明の防災扉によれば、次のような作用効果を奏する。すなわち、扉本体が閉鎖方向へ回動する際には、上述のロッドについては、解除手段によって保持手段による保持状態が解除されるとともに、伝達機構によって付勢手段の付勢力によるロッドの移動が許容される。そして、ロッドの先端部が、付勢手段の付勢力によって受け具の内部へテーパ面に案内されながら挿入される。この際、扉本体がシール材を圧接しながら開口部を閉鎖し、防災扉に求められる防火性能などの防災性能や防音性能が実現する。したがって、扉本体が開口部を閉鎖する際にハンドルレバーを利用者が操作しなくても扉本体を高気密で閉鎖することができる。
【０００８】
また、このように構成された本発明の防災扉によれば、ロッドの先端部における扉本体の前面側にはテーパ面が形成されている。このことにより、ロッドの先端部が、付勢手段の付勢力によって受け具の内部に挿入されやすい。
【０００９】
ところで、上述の伝達機構については、次のように構成してもよい。すなわち、請求項２のように、伝達機構については、その一部がロッドの後端部に取り付けられ、ロッドの移動可能な方向と同一の方向に移動可能な伝達部材と、ハンドルレバーの回転に伴ってロッドおよび伝達部材の移動可能な方向と同一の方向に移動可能なスライダー部材と、を備える。このうちスライダー部材は、ロッドの先端部が扉本体の側面から突出する際に移動する方向である突出方向に移動する場合に伝達部材と当接する第一の当接部と、ロッドの先端部が突出方向とは反対方向であって前記扉本体へ挿入される際に移動する方向である隠蔽方向に移動する場合に伝達部材と当接する第二の当接部と、を備える。一方、伝達部材は、突出方向に移動するスライダー部材の第一の当接部と当接する第一の被当接部と、隠蔽方向に移動するスライダー部材の第二の当接部と当接する第二の被当接部と、を備える。さらに、スライダー部材および伝達部材は、第一の当接部と第一の被当接部とが当接する場合に第二の当接部と第二の被当接部とが当接せず、第二の当接部と第二の被当接部とが当接する場合に第一の当接部と第一の被当接部とが当接しないよう構成されている。
【００１０】
このように構成すれば、次のような作用効果を奏する。すなわち、（イ）スライダー部材の第一の当接部と伝達部材の第一の被当接部とが当接する場合には、ハンドルレバーを回転させることで、スライダー部材、伝達部材およびロッドを突出方向へ移動させることができる。また、解除手段によって保持状態が解除される場合（閉扉）には、ハンドルレバーを回転させなくても、伝達部材およびロッドを、スライダー部材の第二の当接部と伝達部材の第二の被当接部とが当接するまでは、付勢手段の付勢力によって突出方向へ移動させることができる。（ロ）また、スライダー部材の第二の当接部と伝達部材の第二の被当接部とが当接する場合には、ハンドルレバーを回転させることで、スライダー部材、伝達部材およびロッドを隠蔽方向へ移動させることができる。
【００１１】
また、上述の伝達機構については、さらに、次のように構成してもよい。すなわち、伝達機構については、ハンドルレバーの回転に伴って回転可能なピニオンギヤを備え、伝達機構のスライダー部材は、ピニオンギヤに噛み合うよう配されたラックを有し、ハンドルレバーの回転がピニオンギヤを介してラックに伝達されることでハンドルレバーの回転に伴って移動させることができる。
【００１２】
このように構成すれば、簡素な構成で、ハンドルレバーの回転運動をロッドの直線運動へ変換することができる。また、このように構成することにより、ハンドルレバーに対する戻りばねを容易に設定することができるとともに、ロッドの先端部に設置する戻りばねを容易に設定することができる。
【００１３】
ところで、上述の保持手段については、さらに、次のように構成してもよい。すなわち、請求項３のように、保持手段が、ロッド先端部に形成された被係止部と、被係止部に係合可能な係止部と、を備えることができる。この場合、解除手段が、扉本体が閉鎖方向へ回動する際に、係止部を被係止部から離間させることで保持手段による保持状態を解除する。このように構成すれば、簡素な保持手段とすることができる。
【００１４】
また、保持手段の被係止部については、複数の被係止部を、ロッド先端部の摺動方向に沿って形成してもよい。このように構成すれば、ロッドを扉本体内部に引き込んだ位置で保持することができる。また、扉本体の外形寸法のばらつきで扉本体と枠との間の隙間が大きくなっても、ロッドの先端部を適切に引き込んだ状態で保持することができる。
【発明を実施するための最良の形態】
【００１５】
以下に本発明の実施形態を図面とともに説明する。
［第一実施形態］
図１は第一実施形態の防災扉１を示す説明図である。また、図２は防災扉閉鎖装置３０のロッド４０および受け具５０を示す説明図であり、図３は防災扉閉鎖装置３０を示す説明図である。
【００１６】
なお、ここで以下説明する各方向は、設置された閉鎖状態の防災扉の前面２０ｄを正面から見て定義される。したがって、開放動作に伴い位置関係に変動が生じるが、すべて本閉鎖状態の定義方向を基準として説明されるものである。
【００１７】
以降、この防災扉１において、開口部１０の下枠部材１２に対して開口部１０の上枠部材１１が配されている側を「上側」とし、上枠部材１１に対して下枠部材１２が配されている側を「下側」とする。また、防災扉１において、開口部１０の左枠部材１４に対して開口部１０の右枠部材１３が配されている側を「右側」とし、右枠部材１３に対して左枠部材１４が配されている側を「左側」とする。また、防災扉１において、図１における手前側（開放側）を「前側」とし、図１における向こう側（閉鎖側）を「後側」とする。
【００１８】
［防災扉１の構成の説明］
図１に示すように、防災扉１は、建物内に設置された壁などに設けられた構造物の開口部１０を防災のために閉鎖可能な扉本体２０と、二つの蝶番１５と、シール材１６と、防災扉閉鎖装置３０と、を備えている。
【００１９】
扉本体２０は、金属材料で構成され、略方形に形成されている。
二つの蝶番１５のうちの一方は、その一片が扉本体２０の側部２０ａの上部に取り付けられるとともに、他片が開口部１０の右枠部材１３の上部に取り付けられ、また、二つの蝶番１５のうちの他方は、その一片が扉本体２０の側部２０ａの下部に取り付けられるとともに、他片が開口部１０の右枠部材１３の下部に取り付けられ、蝶番１５，１５を中心として扉本体２０を前後方向（開閉方向）に回動可能に支持する。
【００２０】
シール材１６は、例えばゴム材などの弾性を有する材料で構成され、その内部が中空であるチューブ状に形成されている。このシール材１６は、開口部１０を構成する各枠部材（上枠部材１１、下枠部材１２、右枠部材１３、左枠部材１４）それぞれに形成される戸当たり枠に取り付けられている。この際、このシール材１６は、各枠部材の全長にわたって設けられている。なお、図２には、上枠部材１１に形成される戸当たり枠１１ａと、戸当たり枠１１ａに取り付けられたシール材１６とが図示されている。つまり、シール材１６は開口部１０の周縁に取り付けられている。
【００２１】
［防災扉閉鎖装置３０の構成の説明］
図１に示すように、防災扉閉鎖装置３０は、上下二本のロッド４０と、二つの受け具５０と、二つのトリガー装置６０と、グレモン錠７０と、扉本体２０を閉扉方向に付勢するドアクローザー９０と、を備えている。
【００２２】
このうち二本のロッド４０は、金属製の棒材によって構成される。これら二本のロッド４０のうちの一方は、扉本体２０の内部にて、その先端部４０ａが扉本体２０の上部側に配されるとともに、その後端部４０ｂがグレモン錠７０側に配されている。そして、この上側のロッド４０は、扉本体２０の内部を上下方向（扉本体２０の高さ方向）に移動可能となっており、その先端部４０ａが扉本体２０の側面２０ｃからその上方へ突出可能である。
【００２３】
また、上側のロッド４０の先端部４０ａにおける扉本体２０の前面２０ｄ側にはテーパ面４０ｃおよび当接面４０ｅが形成されている(図２、図３（ｂ）参照)。この当接面４０ｅは、扉本体２０の前面２０ｄと平行となるよう形成された平面である。また、ロッド４０の先端部４０ａにおける当接面４０ｅが形成された部分については、その扉本体２０の厚さ方向の寸法が、ロッド４０の先端部４０ａにおける他の部分の同厚さ方向の寸法よりも小さく形成されている。さらに、この当接面４０ｅは、扉本体２０が開口部１０を閉鎖した場合に突起部２０ｂがシール１６を圧接している際に、この当接面４０ｅがローラ５４に押圧された状態で、ロッド４０がその軸方向に沿って移動可能に形成されている。
【００２４】
また、上側のロッド４０の先端部４０ａは、付勢手段としての圧縮コイルバネ４２によって扉本体２０からその上方へ突出する方向に付勢されている（図３（ａ）参照）。圧縮コイルバネ４２はロッド４０に外挿され、その一端がロッド４０の先端部４０ａに当接するとともに、その他端が扉本体２０の内部に固定されている。したがって、圧縮コイルバネ４２は、ロッド４０の先端部４０ａを、当該先端部４０ａが軸方向に沿って扉本体２０から外部（高さ方向）へ突出する方向に付勢している。
【００２５】
ところで、二つのトリガー装置６０の一方は、扉本体２０の内部における扉本体２０上端部付近に位置するロッド４０の先端部４０ａ近傍に配されており、他方のトリガー装置６０は、扉本体２０の内部における扉本体２０下端部付近に位置するロッド４０の先端部４０ａ近傍に配されている。
【００２６】
また、ロッド４０の先端部４０ａにおけるトリガー装置６０と対向する部分には、三つの係止溝４０ｄがロッド４０の軸方向に沿って並べて形成されている。なお、本実施形態では、ロッド４０の先端部４０ａにおけるトリガー装置６０と対向する部分に三つの係止溝４０ｄをロッド４０の軸方向に沿って形成した例を示したが、これには限られず、例えば、二つの係止溝４０ｄを軸方向に沿って形成してもよいし、四つ以上の係止溝４０ｄを軸方向に沿って形成してもよい。
【００２７】
一方、二本のロッド４０のうちの他方は、扉本体２０の内部にて、その先端部４０ａが扉本体２０の下部側に配されるとともに、その後端部４０ｂがグレモン錠７０側に配されている。そして、この下側のロッド４０は、扉本体２０の内部を上下方向（扉本体２０の高さ方向）に移動可能となっており、その先端部４０ａが扉本体２０からその下方へ突出可能である。なお、下側のロッド４０については、上側のロッド４０と同じ構成であるので、ここではその詳細な説明は省略する。
【００２８】
図２に示すように、二つの受け具５０は、ケース５１と、ケース５１の開口部５１ａを覆う取付板５２と、取付板５２に形成され、ロッド４０の先端部４０ａが挿入可能な挿入孔５３と、が設けられ、また、ケース５１の内部にローラ５４が回転自在に取り付けられている。
【００２９】
また、これら二つの受け具５０のうちの一方は、開口部１０の上枠部材１１における閉鎖時の扉本体２０と対向する部分にビス５５を用いて取り付けられている。このように構成された上側の受け具５０は、上側のロッド４０の先端部４０ａが挿入孔５３から内部に挿入した際に、上側のロッド４０の先端部４０ａに設けたテーパ面４０ｃとローラ５４との接触に同期して扉本体２０を戸当り枠１１ａ側に移動させて、扉本体２０の突起部２０ｂをシール材１６に圧接させる機能を有する。このようにしてロッド４０の突出完了後、当接面４０ｅによってシール材１６の圧接状態が保持される。
【００３０】
一方、これら二つの受け具５０のうちの他方は、開口部１０の下枠部材１２における閉鎖時の扉本体２０と対向する部分にビス（図示省略）を用いて取り付けられている。なお、下側の受け具５０については、上側の受け具５０と同じ構成であるので、ここではその詳細な説明は省略する。
【００３１】
また、二つのトリガー装置６０のうちの上側のトリガー装置６０は、図３に示すように、扉本体２０の前後方向（扉本体２０の厚さ方向）に沿って扉本体２０の内部に設けられた回転軸６１を中心にして回転可能に支持された板状の中央アーム６２と、中央アーム６２の一端６２ａにその一端６３ａが回転可能に取り付けられた板状のロッド側アーム６３と、中央アーム６２の他端６２ｂにその一端６４ａが回転可能に取り付けられた板状の突出側アーム６４と、圧縮コイルバネ６５と、を備える。圧縮コイルバネ６５は、ロッド側アーム６３の延長方向に、一端が中央アーム６２の一端６２ａに形成された支持部６２ｃと接触して支持され、トリガー装置６０内に設置される。これにより中央アーム６２は回転軸６１を中心に、右回転方向に付勢される。また、ロッド側アーム６３については、その他端６３ｂがロッド４０の先端部４０ａに形成された係止溝４０ｄの内部に挿入されるよう配置され、一方、突出側アーム６４については、その他端６４ｂが扉本体２０の側面２０ｃから突出するよう配置されている（図４参照）。また、ロッド側アーム６３の端末である係止溝４０ｄとの対向面には、右下がりに傾斜する傾斜部６３ｄとロッド側アーム６３下面の水平部６３ｅとにより画定される傾斜面６３ｃが形成されている。一方、上述のロッド４０の各係止溝４０ｄは、より具体的には、ロッド４０の先端部４０ａにおけるロッド側アーム６３の傾斜面６３ｃと対向する部分に、ロッド側アーム６３の傾斜面６３ｃに合わせた形状に形成されている。
【００３２】
このことにより、ロッド側アーム６３の他端６３ｂは、ロッド４０の先端部４０ａが下方へ移動する際にその係止溝４０ｄと係合しやすくなるとともに、ロッド側アーム６３の他端６３ｂがロッド４０の係止溝４０ｄに挿入される場合にはロッド４０の先端部４０ａが上方へ移動するのを規制する。また、ロッド側アーム６３の他端６３ｂは、圧縮コイルバネ６５によってロッド４０の先端部４０ａへ向けて挿入方向へ付勢される。なお、トリガー装置６０の各部は、突出側アーム６４の他端６４ｂが扉本体２０の側面２０ｃから突出する際には、ロッド側アーム６３の他端６３ｂがロッド４０の係止溝４０ｄの内部に挿入されるよう構成されている。
【００３３】
また、突出側アーム６４の他端６４ｂの先端部には、扉本体２０の厚さ方向Ｈに回転可能なローラ６４ｃが取り付けられており、突出側アーム６４の他端６４ｂが扉本体２０から突出する際に、左枠部材１４とスムーズに接触して回転摺動することができる。
【００３４】
なお、下側のトリガー装置６０については、上側のトリガー装置６０と同じ構成であるので、ここではその詳細な説明は省略する。
このように構成された二つのトリガー装置６０それぞれは、ロッド側アーム６３の他端６３ｂをロッド４０の係止溝４０ｄに挿入させることで、扉本体２０が開口部１０を開放する際にロッド４０をその先端部４０ａが受け具５０から離間する位置で保持する機能を有する。このとき、ロッド４０の先端部４０ａは、扉本体２０に対して挿入される際に移動する方向である隠蔽方向に移動している。また、トリガー装置６０は、扉本体２０が閉鎖方向へ回動する際に突出側アーム６４の他端６４ｂを扉本体２０の内部へ押し込んだ場合に（図３参照）、中央アーム６２を介してロッド側アーム６３の他端６３ｂをロッド４０の係止溝４０ｄから離間させることで、受け具５０から離間する位置にあるロッド４０の先端部４０ａが受け具５０の内部へと移動可能とする機能を有する。ここで、ロッド４０の先端部４０ａは、扉本体２０に対して突出される際に移動する方向である突出方向に移動している。なお、本実施形態では、突出方向と隠蔽方向とは互いに反対向きの方向である。
【００３５】
なお、トリガー装置６０は保持手段および解除手段に該当する。
図３に示すように、グレモン錠７０は、ケース７１の内部に、前後方向（扉本体２０の厚さ方向）に沿って設けられた回転軸７２を中心にして回転可能に取り付けられたハンドルレバー７３と、回転軸７２と同軸上に取り付けられたピニオンギヤ７４と、ピニオンギヤ７４と噛み合うラック７５ａ，７６ａをそれぞれ有し、上下方向（ケース７１の長手方向）に移動可能な二つのスライダー部材７５，７６と、上下方向（ケース７１の長手方向）に移動可能な二つの伝達部材７７，７８と、を備える構成を有する。
【００３６】
ケース７１の底板７１ａには、スライダー部材７５の裏面に設けられた二つのピン７５ｄ，７５ｄを上下方向（ケース７１の長手方向）にそれぞれ案内するための二つの長孔７１ｂ，７１ｂ、およびスライダー部材７６の裏面に設けられた二つのピン７６ｄ，７６ｄを上下方向（ケース７１の長手方向）にそれぞれ案内するための二つの長孔７１ｃ，７１ｃが形成されている。また、ケース７１の底板７１ａには、伝達部材７７の裏面に設けられた二つのピン７７ｅ，７７ｅを上下方向（ケース７１の長手方向）にそれぞれ案内するための二つの長孔７１ｄ，７１ｄ、および伝達部材７８に設けられた二つのピン７８ｅ，７８ｅを上下方向（ケース７１の長手方向）にそれぞれ案内するための二つの長孔７１ｅ，７１ｅが形成されている。
【００３７】
スライダー部材７５は、略直方体に形成され、その長手方向が上下方向（ケース７１の長手方向）に沿うように配置されている。そして、スライダー部材７５の一面には上述のラック７５ａが形成されており、ラック７５ａがピニオンギヤ７４と噛み合っている。スライダー部材７５の裏面に設けられた二つのピン７５ｄ，７５ｄは、ケース７１の底板７１ａに形成された二つの長孔７１ｂ，７１ｂの内部にそれぞれ挿入され、長孔７１ｂの長手方向の長さ分だけ上下方向（ケース７１の長手方向）に移動可能である。
【００３８】
一方、スライダー部材７６は、同様に略直方体に形成され、その長手方向が上下方向（ケース７１の長手方向）に沿うように配置されている。そして、スライダー部材７６の一面には上述のラック７６ａが形成されており、このラック７６ａがピニオンギヤ７４と噛み合っている。スライダー部材７６の裏面に設けられた二つのピン７６ｄ，７６ｄは、ケース７１の底板７１ａに形成された二つの長孔７１ｃ，７１ｃの内部にそれぞれ挿入され、長孔７１ｃの長手方向の長さ分だけ上下方向（ケース７１の長手方向）に移動可能である。
【００３９】
伝達部材７７は、その一端７７ａがケース７１の上部付近にて上側のロッド４０の後端部４０ｂと連結されるとともに、その他端７７ｂがスライダー部材７５の近傍に配置されるよう形成され、ケース７１内部をロッド４０とともに上下方向（ケース７１の長手方向）に移動可能である。また、伝達部材７７には、スライダー部材７５の先端部７５ｂと対向する上側対向面７７ｃと、スライダー部材７５の後端部７５ｃと対向する下側対向面７７ｄとが形成されている。伝達部材７７の裏面に設けられた二つのピン７７ｅ，７７ｅは、ケース７１の底板７１ａに形成された二つの長孔７１ｄ，７１ｄの内部にそれぞれ挿入され、長孔７１ｄの長手方向の長さ分だけ上下方向（ケース７１の長手方向）に移動可能である。
【００４０】
なお、これら上側対向面７７ｃと下側対向面７７ｄとの間の距離寸法については、スライダー部材７５の先端部７５ｂと伝達部材７７の上側対向面７７ｃとが当接する場合にスライダー部材７５の後端部７５ｃと伝達部材７７の下側対向面７７ｄとが当接せず、一方、スライダー部材７５の後端部７５ｃと伝達部材７７の下側対向面７７ｄとが当接する場合に、スライダー部材７５の先端部７５ｂと伝達部材７７の上側対向面７７ｃとが当接しないよう設定されている。なお、スライダー部材７５が移動によりその先端部７５ｂまたは後端部７５ｃが伝達部材７７の上側対向面７７ｃまたは下側対向面７７ｄに当接する場合、スライダー部材７５からの動きに応じて、伝達部材７７は上方または下方に移動する。例えば、伝達部材７７の上側対向面７７ｃでスライダー部材７５の先端部７５ｂとの当接状態が維持される場合、扉本体２０が閉鎖ロックされる方向にあたる。また、伝達部材７７の下側対向面７７ｄとスライダー部材７５の後端部７５ｃとの間に隙間がある場合には、その隙間にある範囲で両部材に当接状態が発生するまでの間、伝達部材７７に加わるロッド４０の先端部４０ａの戻りばね力（圧縮コイルバネ４２の付勢力）に応じて伝達部材７７が上方に移動可能となっている。
【００４１】
一方、伝達部材７８は、その一端７８ａがケース７１の下部付近にて下側のロッド４０の後端部４０ｂと連結されるとともに、その他端７８ｂがスライダー部材７６の近傍に配置されるよう形成され、ケース７１内部をロッド４０とともに上下方向（ケース７１の長手方向）に移動可能である。また、伝達部材７８には、スライダー部材７６の先端部７６ｂと対向する下側対向面７８ｃと、スライダー部材７６の後端部７６ｃと対向する上側対向面７８ｄとが形成されている。また、伝達部材７８の裏面には、二つのピン７８ｅ，７８ｅが形成されている。これらピン７８ｅ，７８ｅは、ケース７１の底板７１ａに形成された二つの長孔７１ｅ，７１ｅの内部にそれぞれ挿入され、長孔７１ｅの長手方向の長さ分だけ上下方向（ケース７１の長手方向）に移動可能である。
【００４２】
なお、これら下側対向面７８ｃと上側対向面７８ｄとの間の距離寸法については、伝達部材７７と同様に、スライダー部材７６の先端部７６ｂと伝達部材７８の下側対向面７８ｃとが当接する場合にスライダー部材７６の後端部７６ｃと伝達部材７８の上側対向面７８ｄとが当接せず、一方、スライダー部材７６の後端部７６ｃと伝達部材７８の上側対向面７８ｄとが当接する場合に、スライダー部材７６の先端部７６ｂと伝達部材７８の下側対向面７８ｃとが当接しないよう設定されている。なお、スライダー部材７６が移動によりその先端部７６ｂまたは後端部７６ｃが伝達部材７８の下側対向面７８ｃまたは上側対向面７８ｄに当接する場合、スライダー部材７６からの動きに応じて、伝達部材７８は上方または下方に移動する。また、伝達部材７８の上側対向面７８ｄとスライダー部材７６の後端部７６ｃとの間に隙間がある場合には、その隙間にある範囲で両部材に当接状態が発生するまでの間、伝達部材７８に加わるロッド４０の先端部４０ａの戻りばね力（圧縮コイルバネ４２の付勢力）に応じて伝達部材７８が下方に移動可能となっている。
【００４３】
以上のように構成されたグレモン錠７０は、圧縮コイルバネ４２の付勢力による上側のロッド４０の上方への移動を許容するとともに、ハンドルレバー７３の回転をスライダー部材７５および伝達部材７７を介して上側のロッド４０の後端部４０ｂへ伝達することによって上側のロッド４０を上方または下方へ移動させることが可能である。また、グレモン錠７０は、同様に、圧縮コイルバネ４２の付勢力による下側のロッド４０の下方への移動を許容するとともに、ハンドルレバー７３の回転をスライダー部材７６および伝達部材７８を介して下側のロッド４０の後端部４０ｂへ伝達することによって下側のロッド４０を上方または下方へ移動させることが可能である。
【００４４】
また、グレモン錠７０のケース７１の下部には、デッドボルト７９が設置されている。このデッドボルト７９は、略直方体に形成されており、その長手方向がケース７１の幅方向に沿うように配置され、且つ幅方向に移動可能になっている。
【００４５】
また、デッドボルト７９における上面にはラック７９ｂが形成されており、このラック７９ｂとピニオンギヤ７４との間には四つのギヤ８１，８２，８３，８４が互いに噛み合うとともに、ギヤ８１がラック７９ｂと噛み合い、ギヤ８４がピニオンギヤ７４に噛み合うよう配置されている。したがって、ハンドルレバー７３の回転に伴ってピニオンギヤ７４が回転する際には、このピニオンギヤ７４の回転がギヤ８１，８２，８３，８４を介してデッドボルト７９のラック７９ｂに伝達され、デッドボルト７９が左右方向（ケース７１の幅方向）に移動することができる。ここでハンドルレバー７３は閉鎖時の防災扉１を前側から見て、右回転方向が閉鎖ロックへの移行方向であり、左回転方向は開放操作方向となる。また、ハンドルレバー７３に対する閉回転方向への付勢力については、圧縮コイルバネ８０によって開扉から閉扉の間付与されている。なお、ギヤ８２にはワンウェイタイプのダンパーが内蔵されており、ハンドルレバー７３は、図３に示すハンドルレバー位置まで閉回転方向にゆっくりと移動することができる。
【００４６】
なお、スライダー部材７５の先端部７５ｂおよび後端部７５ｃは第一の当接部および第二の当接部をそれぞれ形成する。また、スライダー部材７６の先端部７６ｂおよび後端部７６ｃは第一の当接部および第二の当接部をそれぞれ形成する。また、伝達部材７７の上側対向面７７ｃおよび下側対向面７７ｄは第一の被当接部および第二の被当接部をそれぞれ形成する。また、伝達部材７８の下側対向面７８ｃおよび上側対向面７８ｄは第一の被当接部および第二の被当接部をそれぞれ形成する。
【００４７】
なお、ドアクローザー９０の構成については公知技術に従っているのでここではその詳細な説明は省略する。また、防災扉閉鎖装置３０のその他の構成については公知技術に従っているのでここではその詳細な説明は省略する。
【００４８】
［防災扉１の動作の説明］
次に、防災扉１の動作を、図３〜図７を参照して説明する。なお、以下の説明においては、上側のロッド４０、上側の受け具５０、上側のトリガー装置６０およびこれらに関係する機構の動作について説明し、下側のロッド４０、下側の受け具５０、下側のトリガー装置６０およびこれらに関係する機構の動作については、上述の上側の構成と同様の動作を行うのでその詳細な説明は省略する。
【００４９】
［初期状態（閉扉時）（Ａ）］
まず、図３に示すように、扉本体２０が開口部１０を閉鎖している状態においては、グレモン錠７０のハンドルレバー７３を水平位置から約１０度下方に回転させた位置にあり、ピニオンギヤ７４がスライダー部材７５のラック７５ａのほぼ中央部およびスライダー部材７６のラック７６ａのほぼ中央部で噛み合っている。また、このように扉本体２０が開口部１０を閉鎖している状態においては、扉本体２０の突起部２０ｂがシール１６を圧接しており、ロッド４０が、その当接面４０ｅがローラ５４に押圧された状態で、その軸方向に沿って移動可能である。また、トリガー装置６０については、突出側アーム６４の他端６４ｂが開口部１０の左枠部材１４に当接して扉本体２０の内部へ押し込まれている。このことにより、ロッド側アーム６３の他端６３ｂがロッド４０の係止溝４０ｄから離間し、ロッド４０の先端部４０ａが圧縮コイルバネ４２の付勢力によって受け具５０の内部へ挿入されている。また、ロッド４０が上方へ移動していることに伴い、グレモン錠７０の伝達部材７７がケース７１内部で上方へ移動しており、伝達部材７７の下側対向面７７ｄがスライダー部材７５の後端部７５ｃと当接している。さらに、デッドボルト７９については、その先端部７９ａが扉本体２０の内部に位置している。
【００５０】
［開扉時（Ｂ）］
ここで、図４に示すように、グレモン錠７０のハンドルレバー７３を左回転方向に８０度回転させると、ハンドルレバー７３と同軸上に取り付けられたピニオンギヤ７４と噛み合うラック７５ａを介してスライダー部材７５が下方に移動する。なお、トリガー装置６０については、扉本体２０が前側（開放側）へ移動した場合には、突出側アーム６４の他端６４ｂが開口部１０の左枠部材１４から離間し、突出側アーム６４の突出方向に付与された圧縮コイルバネ６５の付勢力によって扉本体２０から外部へ移動可能となる。スライダー部材７５が下方に移動すると、スライダー部材７５の後端部７５ｃが、下側対向面７７ｄと当接しながら伝達部材７７を下方へ押し下げ、伝達部材７７の一端７７ａに取り付けられたロッド４０が伝達部材７７の移動に伴い、圧縮コイルバネ４２の付勢力に抗して下方へと移動する。この際、ロッド４０の先端部４０ａが受け具５０の挿入孔５３から離間し、トリガー装置６０のロッド側アーム６３の他端６３ｂが、傾斜面６３ｃに案内されながら、圧縮コイルバネ６５による挿入方向への付勢力によって、ロッド４０の先端部４０ａの係止溝４０ｄの内部へと挿入される。つまり、トリガー装置６０が、ロッド４０の先端部４０ａが受け具５０から離間した位置でロッド４０を保持することとなる（アンロック保持状態）。さらに、デッドボルト７９については、ハンドルレバー７３の左回転方向への回転に伴って、扉本体２０の内部をケース７１の幅方向右側へゆっくりと移動している。
【００５１】
なお、作業者がハンドルレバー７３から手を離すと、ハンドルレバー７３が、デッドボルト７９の圧縮コイルバネ８０の作用によって、デッドボルト７９のラック７９ｂがケース７１の幅方向左側に移動するとともに、ラック７９ｂと噛み合うピニオンギヤ８１を回転させ、ピニオンギヤ８２，８３，８４を介してハンドルレバー７３と同軸に取り付けられたピニオンギヤ７４を回転させ、ピニオンギヤ７４とラック７５ａを介して、スライダー部材７５の先端部７５ｂが伝達部材７７の上側対向面７７ｃに当接するまで右回転方向に回転し、図５に示す状態となる。同時に、デッドボルト７９も、圧縮コイルバネ８０の作用によって左方向へ移動する。
【００５２】
［閉扉時（Ｃ）］
ところで、前記［開扉時（Ｂ）］のように開口部を開放した状態から、蝶番１５，１５を中心にして扉本体２０を後側へ回動させると、トリガー装置６０の突出側アーム６４の他端６４ｂのローラ６４ｃが開口部１０の左枠部材１４に当接して扉本体２０の内部へ押し込まれる。すると、トリガー装置６０のロッド側アーム６３の他端６３ｂが、ロッド４０の先端部４０ａの係止溝４０ｄの内部から離間し、ロッド４０が上方へ移動可能となる。このようにトリガー装置６０によってロッド４０の保持状態が解除されると、グレモン錠７０においては、上述のように、スライダー部材７５の先端部７５ｂが伝達部材７７の上側対向面７７ｃに当接しているために伝達部材７７が上方へ移動可能な状態であるため、ロッド４０の先端部４０ａが圧縮コイルバネ４２の付勢力によって受け具５０の内部へテーパ面４０ｃおよび当接面４０ｅに案内されながら挿入され、蝶番１５，１５を中心にして回動させた扉本体２０がシール材１６を圧接しながら開口部１０を閉鎖する。この場合、伝達部材７７は、ロッド４０の上方への移動に伴って上方に移動し、その下側対向面７７ｄがスライダー部材７５の後端部７５ｃに当接し、図６に示す状態（初期状態：図３に示す状態）となる。
【００５３】
［扉ロック時（Ｄ）］
ここで、図６に示す状態から、ハンドルレバー７３を右回転方向に８０度回転させると、スライダー部材７５が上方へと移動し、その先端部７５ｂが伝達部材７７の上側対向面７７ｃに当接し、図７に示す状態となる。なお、仮に、ロッド４０の先端部４０ａが受け具５０の内部へ充分に挿入されていなかった場合には、このスライダー部材７５の上方への移動によって伝達部材７７が上方へ押し上げられ、ロッド４０の先端部４０ａが受け具５０の内部へテーパ面４０ｃおよび当接面４０ｅに案内されながら挿入される。このとき、伝達部材７７とスライダー部材７５とは、ピニオンギヤ７４を介して互いに移動不可能な状態となっており（メカニカルロック）、このことによってロッド４０の先端部が移動できず、閉鎖ロック状態が維持される。また、デッドボルト７９が、ハンドルレバー７３の回転によって左方向へ移動して扉本体２０から突出し、開口部１０の左枠部材１４の受け具の内部に挿入されて開口部１０が扉本体２０によって完全に閉鎖される。なお、ハンドルレバー７３が閉扉から扉をロックする位置へと回転する間には、デッドボルト７９に対して圧縮コイルバネ８０による付勢力が作用しないように設定されている。
【００５４】
また、扉本体２０がロックされる状態からグレモン錠７０のハンドルレバー７３を左回転方向に８０度回転させると、スライダー部材７５が、その後端部７５ｃが伝達部材７７の下側対向面７７ｄと当接するまで下方に移動する。また、デッドボルト７９については、ハンドルレバー７３における左回転方向への回転に伴って、扉本体２０の内部を右方向へ位置する。そして、初期状態に戻る(図３参照)。
【００５５】
［第一実施形態の効果］
（１）このように第一実施形態の防災扉１によれば、次のような作用効果を奏する。すなわち、扉本体２０が閉鎖方向へ回動する際には、ロッド４０が、トリガー装置６０によって保持状態が解除されるとともに、グレモン錠７０によって上方への移動を許容される。すると、ロッド４０の先端部４０ａが圧縮コイルバネ４２の付勢力によって受け具５０の内部へテーパ面４０ｃおよび当接面４０ｅに案内されながら挿入される。この際、蝶番１５，１５を中心にして回動させた扉本体２０がシール材１６を圧接しながら開口部１０を閉鎖完了させ、防災扉１に求められる防火性能などの防災性能や防音性能が実現する。したがって、扉本体２０が開口部１０を閉鎖する際にハンドルレバー７３を利用者が操作しなくても扉本体２０を高気密で閉鎖することができる。
【００５６】
（２）また、第一実施形態の防災扉１によれば、ロッド４０の先端部４０ａにおける扉本体２０の前面２０ｄ側にはテーパ面４０ｃおよび当接面４０ｅが形成されている。このことにより、ロッド４０の先端部４０ａが、圧縮コイルバネ４２の付勢力によって受け具５０の内部に挿入されやすい。
【００５７】
（３）また、第一実施形態の防災扉１によれば、伝達部材７７における上側対向面７７ｃと下側対向面７７ｄとの間の距離寸法については、スライダー部材７５の先端部７５ｂと伝達部材７７の上側対向面７７ｃとが当接する場合にスライダー部材７５の後端部７５ｃと伝達部材７７の下側対向面７７ｄとが当接せず、一方、スライダー部材７５の後端部７５ｃと伝達部材７７の下側対向面７７ｄとが当接する場合に、スライダー部材７５の先端部７５ｂと伝達部材７７の上側対向面７７ｃとが当接しないよう設定されている。なお、伝達部材７８についても同様である。
【００５８】
このように構成すれば、次のような作用効果を奏する。すなわち、（イ）開扉時から閉扉時までにおいて、スライダー部材７５の先端部７５ｂと伝達部材７７の上側対向面７７ｃとが当接する方向に、ハンドルレバー７３を回転させることで、スライダー部材７５、伝達部材７７およびロッド４０を突出方向へ移動させることができる。また、この場合には、ハンドルレバー７３を回転させなくても、伝達部材７７およびロッド４０を、スライダー部材７５の後端部７５ｃと伝達部材７７の下側対向面７７ｄとが当接するまでは、圧縮コイルバネ４２の付勢力によって突出方向への状態を維持することができる。（ロ）また、閉扉時から開扉時までにおいて、スライダー部材７５の後端部７５ｃと伝達部材７７の下側対向面７７ｄとが当接する場合には、ハンドルレバー７３を左回転方向に回転させることで、スライダー部材７５、および伝達部材７７を下方へ移動させてロッド４０の先端部４０ａを隠蔽させることができる。
【００５９】
（４）また、第一実施形態の防災扉１によれば、グレモン錠７０が、ケース７１の内部に、前後方向（扉本体２０の厚さ方向）に沿って設けられた回転軸７２を中心にして回転可能に取り付けられたハンドルレバー７３と、回転軸７２と同軸上に取り付けられたピニオンギヤ７４と、ピニオンギヤ７４と噛み合うラック７５ａ，７６ａをそれぞれ有し、上下方向（ケース７１の長手方向）に移動可能な二つのスライダー部材７５，７６と、上下方向（ケース７１の長手方向）に移動可能な二つの伝達部材７７，７８と、を備える構成を有しており、スライダー部材７５の一面にはラック７５ａが形成され、そのラック７５ａがピニオンギヤ７４と噛み合っている。なお、スライダー部材７６についても同様である。
【００６０】
このように構成すれば、簡素な構成で、ハンドルレバー７３の回転運動をロッド４０の直線運動へ変換することができる。また、ハンドルレバー７３の回転と連動するギヤ８１の動きから、デッドボルト７９の直線運動を容易に構成することができる。このようにしてデッドボルト７９に対する圧縮コイルバネ８０や、ロッド４０の先端部に対して上述の圧縮コイルバネ４２のような戻りばねを容易に設定することができる。
【００６１】
（５）また、第一実施形態の防災扉１によれば、トリガー装置６０が、扉本体２０の内部に前後方向（扉本体２０の厚さ方向）に沿って設けられた回転軸６１を中心にして回転可能に支持された板状の中央アーム６２と、中央アーム６２の一端６２ａにその一端６３ａが回転可能に取り付けられた板状のロッド側アーム６３と、中央アーム６２の他端６２ｂにその一端６４ａが回転可能に取り付けられた板状の突出側アーム６４と、を備える。そして、ロッド側アーム６３については、その他端６３ｂがロッド４０の先端部４０ａに形成された係止溝４０ｄの内部に挿入されるよう配置され、一方、突出側アーム６４については、その他端６４ｂが扉本体２０の側面２０ｃから突出するよう配置されている（図４参照）。そして、トリガー装置６０の各部が、突出側アーム６４の他端６４ｂが扉本体２０の側面２０ｃから突出する際には、ロッド側アーム６３の他端６３ｂがロッド４０の係止溝４０ｄの内部に挿入されるよう構成されている。このことにより、簡素な構成でトリガー装置６０を構成することができる。
【００６２】
（６）また、第一実施形態の防災扉１によれば、ロッド４０の先端部４０ａにおけるトリガー装置６０と対向する部分に複数の係止溝４０ｄが形成されている。このことにより、ロッド４０を扉本体２０内部に、当初設定位置より引き込んだ位置で保持することができる。また、扉本体２０の外形寸法のばらつきで扉本体２０と開口部１０との間の隙間が大きくなっても、係止溝４０ｄとロッド側アーム６３の傾斜面６３ｃとの係合位置をずらすことによりロッド側アーム６３の突出完了までのストローク量を増加させることができ、ロッド４０の先端部４０ａを適切に引き込んだ状態で保持することができる。
【００６３】
［他の実施形態］
以上、本発明の一実施形態について説明したが、本発明は上記実施形態に限定されるものではなく、以下のような様々な態様にて実施することが可能である。
【００６４】
（１）上記実施形態では、圧縮コイルバネ８０がハンドルレバー７３を閉回転方向へ付勢するよう構成されているが、これには限られず、上述の圧縮コイルバネ８０を備える代わりに、捻りコイルバネをハンドルレバーの回転軸上に設置し、この捻りコイルバネがハンドルレバー７３を閉回転方向へ付勢するよう構成するようにしてもよい。
【００６５】
（２）上記実施形態のロッド４０においては、その先端部４０ａにおけるトリガー装置６０と対向する部分に複数の係止溝４０ｄが形成されているが、これには限られず、ロッド４０の先端部４０ａにおけるトリガー装置６０と対向する部分に、一つの係止溝４０ｄを形成してもよい。
【００６６】
（３）上記実施形態では、扉本体２０をデッドボルト７９にてロックすることが可能に構成されているが（「扉ロック時（Ｄ）」参照）、これには限られず、扉本体２０をロックしないように構成してもよい。なおこの場合、上述のデッドボルト７９およびギヤ８１，８２，８３，８４を廃止することが可能となる。
【００６７】
（４）上記実施形態では、シール材１６が各枠部材の全長にわたって設けられているが、これには限られず、シール材１６を各枠部材の一部に対して必要に応じて省いて設けてもよい。
【図面の簡単な説明】
【００６８】
【図１】第一実施形態の防災扉１および防災扉閉鎖装置３０を示す説明図である。
【図２】防災扉閉鎖装置３０のロッド４０および受け具５０を示す説明図である。
【図３】（ａ）は防災扉閉鎖装置３０を示す説明図（１）であり、（ｂ）は図３（ａ）中のＡ視図である。
【図４】防災扉閉鎖装置３０を示す説明図（２）である。
【図５】防災扉閉鎖装置３０を示す説明図（３）である。
【図６】防災扉閉鎖装置３０を示す説明図（４）である。
【図７】防災扉閉鎖装置３０を示す説明図（５）である。
【符号の説明】
【００６９】
１…防災扉、１０…開口部、１１…上枠部材、１１ａ…戸当たり枠、１２…下枠部材、１３…右枠部材、１４…左枠部材、１５…蝶番、１６…シール材、２０…扉本体、２０ａ…扉本体の側部、２０ｂ…扉本体の突起部、２０ｃ…扉本体２０の側面、２０ｄ…扉本体２０の前面、３０…防災扉閉鎖装置、４０…ロッド、４０ａ…ロッドの先端部、４０ｂ…ロッドの後端部、４０ｃ…テーパ面、４０ｄ…係止溝、４０ｅ…当接面、４２…圧縮コイルバネ、５０…受け具、５１…ケース、５１ａ…ケースの開口部、５２…取付板、５３…挿入孔、５４…ローラ、５５…ビス、６０…トリガー装置、６１…回転軸、６２…中央アーム、６２ａ…中央アームの一端、６２ｂ…中央アームの他端、６２ｃ…支持部、６３…ロッド側アーム、６３ａ…ロッド側アームの一端、６３ｂ…ロッド側アームの他端、６３ｃ…傾斜面、６３ｄ…傾斜部、６３ｅ…水平部、６４…突出側アーム、６４ａ…突出側アームの一端、６４ｂ…突出側アームの他端、６４ｃ…ローラ、６５…圧縮コイルバネ、７０…グレモン錠、７１…ケース、７１ａ…ケースの底板、７１ｂ，７１ｃ，７１ｄ，７１e…長孔、７２…回転軸、７３…ハンドルレバー、７４…ピニオンギヤ、７５，７６…スライダー部材、７５ａ，７６ａ…ラック、７５ｂ，７６ｂ…スライダー部材の先端部、７５ｃ，７６ｃ…スライダー部材の後端部、７５ｄ，７６ｄ…スライダー部材のピン、７７，７８…伝達部材、７７ａ，７８ａ…伝達部材の一端、７７ｂ，７８ｂ…伝達部材の他端、７７ｃ，７８ｄ…上側対向面、７７ｄ，７８ｃ…下側対向面、７７ｅ，７８ｅ…伝達部材のピン、７９…デッドボルト、７９ａ…デッドボルトの先端部、７９ｂ…デッドボルトのラック、８０…圧縮コイルバネ、８１，８２，８３，８４…ギヤ、９０…ドアクローザー
【図１】
2008303689.tif 000003
【図２】
2008303689.tif 000004
【図３】
2008303689.tif 000005
【図４】
2008303689.tif 000006
【図５】
2008303689.tif 000007
【図６】
2008303689.tif 000008
【図７】
2008303689.tif 000009